(57)【特許請求の範囲】
【請求項１】
第１のバッテリ部を有する携帯型通信装置と、
第２のバッテリ部を有するとともに、前記携帯型通信装置に対して着脱自在に構成された予備バッテリパックと、
を備える予備バッテリ付き携帯型通信装置であって、
前記予備バッテリパックは、
前記携帯型通信装置を収容する収容部を有するケース本体と、
前記第２のバッテリ部と電気的に接続されるコネクタ部と、
機構部を介して前記ケース本体と連結されるとともに、前記携帯型通信装置を前記ケース本体にロックさせるロック部と、
前記ケース本体と前記ロック部の相対動作に連動することによって前記携帯型通信装置が前記予備バッテリパックにロックされているか否かを検出する検出部と、
を備え、
前記携帯型通信装置は、
前記第１のバッテリ部および前記第２のバッテリ部の何れか一つのバッテリ部を前記携帯型通信装置の負荷部に接続させるバッテリ切り換え回路と、
前記バッテリ切り換え回路と電気的に接続されるとともに、前記予備バッテリパックの前記コネクタ部と電気的かつ機械的に接続可能な他のコネクタ部と、
を備え、
前記バッテリ切り換え回路は、
前記第１のバッテリ部と電気的に接続されるとともに、前記負荷部に接続される第１のスイッチ素子と、
前記第２のバッテリ部と電気的に接続されるとともに、前記負荷部に接続される第２のスイッチ素子と、
前記第１のバッテリ部、前記第２のバッテリ部、前記検出部、前記第１のスイッチ素子、前記第２のスイッチ素子、及び前記携帯型通信装置の中央処理装置の各々に接続されるとともに、前記中央処理装置の制御信号に基づいて前記第１のバッテリ部および前記第２のバッテリ部の何れか一つのバッテリ部を前記負荷部に接続させるように切り換える切り換えスイッチと、
を備え、
前記中央処理装置は、
前記携帯型通信装置と前記予備バッテリパックのコネクタ接続状態と、前記第１のバッテリ部および前記第２のバッテリ部の出力電圧と、前記検出部の検出状態と、を監視し、
前記携帯型通信装置と前記予備バッテリパックがコネクタ接続され、前記第２のバッテリ部の出力電圧が所定電圧を超え、かつ、前記検出部にて前記携帯型通信装置が前記予備バッテリパックにロックされている状態を検出したときに、前記負荷部に接続させるバッテリ部を前記第１のバッテリ部から前記第２のバッテリ部に切り換えるように前記切り換えスイッチを制御し、
前記負荷部に前記第２のバッテリ部が接続されているときであって、前記検出部にて前記携帯型通信装置が前記予備バッテリパックにロック解除されている状態を検出したときに、前記負荷部に接続させるバッテリ部を前記第２のバッテリ部から前記第１のバッテリ部に切り換えるように前記切り換えスイッチを制御することを特徴とする予備バッテリ付き携帯型通信装置。
【請求項２】
前記中央処理装置は、前記携帯型通信装置と前記予備バッテリパックがコネクタ接続され、前記第２のバッテリ部の出力電圧が所定電圧を超え、かつ、前記検出部にて前記携帯型通信装置が前記予備バッテリパックにロックされていない状態を検出したときに、表示部にて前記携帯型通信装置が前記予備バッテリパックにロックされていない旨の画面を表示させることを特徴とする請求項１記載の予備バッテリ付き携帯型通信装置。
【請求項３】
前記機構部は、回動機構を有し、
前記検出部は、前記ケース本体と前記ロック部の回動動作に連動したＯＮ−ＯＦＦスイッチであることを特徴とする請求項１又は２記載の予備バッテリ付き携帯型通信装置。
【請求項４】
前記機構部は、少なくともスライド機構を有し、
前記検出部は、前記ケース本体と前記ロック部の会合部であって前記機構部の近傍に配設されたメスコネクタ及びオスコネクタを有し、
前記メスコネクタ及びオスコネクタは、ロック状態のときに機械的かつ電気的に接続されて導通し、ロック状態以外のときは離れて導通しないように構成されることを特徴とする請求項１又は２記載の予備バッテリ付き携帯型通信装置。
【発明の詳細な説明】
【技術分野】
【０００１】
本発明は、予備バッテリ付き携帯型通信装置、携帯型通信装置、予備バッテリパック、バッテリ切換方法、及びバッテリ切換プログラムに関し、特に、装置の軽量小型化に適した予備バッテリ付き携帯型通信装置、携帯型通信装置、予備バッテリパック、バッテリ切換方法、及びバッテリ切換プログラムに関する。
【背景技術】
【０００２】
携帯電話機等の携帯型通信装置は、小型化の進展に伴い、搭載されるバッテリの体積の制約やデザインの観点からバッテリ容量が小さく制限されている。そして、携帯型通信装置は、高機能、新機能の追加によって消費電流が増加し、長時間の使用では、本体側のバッテリ容量では不足することがある。そのため、本体側のバッテリ容量の不足を補うべく、外部電源供給として予備バッテリパックの装着が可能な携帯型通信装置が開示されている（特許文献１参照）。
【０００３】
また、複数の電池パックを備え、電池パックの抜去による電力供給の瞬断を防止するようにした情報処理装置が開示されている（特許文献２参照）。この情報処理装置では、本体（負荷）側に回動機構が存在し、回動機構が電池パックの抜去を制御している。また、電池パック側あるいは本体側に電池パックの装着状態を検出するスイッチ部を設けている。
【０００４】
【特許文献１】特表２００２−５２０９８９号公報
【特許文献２】国際公開第９９／２８８０８号パンフレット
【発明の開示】
【発明が解決しようとする課題】
【０００５】
しかしながら、特許文献１に記載の携帯型通信装置では、予備バッテリパックが装置の外部から装着されるところ、予備バッテリパックの使用中に予備バッテリパックが取り外された場合に、装置内のバッテリと制御回路が導通状態でなく、制御回路に電源供給ができないため、携帯型通信装置の電源がＯＦＦになってしまうおそれがある。また、特許文献２に記載の情報処理装置では、本体（負荷）側に電池パックの抜去を制御する回動機構を設けているものの、軽量小型化が求められる携帯型通信装置内にこのような回動機構を設けることは適切でない。
【０００６】
本発明の主な課題は、予備バッテリパックが取り外されたときにも電源断しない機能を有する予備バッテリ付き携帯型通信装置、携帯型通信装置、予備バッテリパック、バッテリ切換方法、及びバッテリ切換プログラムを提供することである。
【課題を解決するための手段】
【０００７】
本発明の一視点においては、第１のバッテリ部を有する携帯型通信装置と、第２のバッテリ部を有するとともに、前記携帯型通信装置に対して着脱自在に構成された予備バッテリパックと、を備える予備バッテリ付き携帯型通信装置であって、前記予備バッテリパックは、前記携帯型通信装置を収容する収容部を有するケース本体と、前記第２のバッテリ部と電気的に接続されるコネクタ部と、機構部を介して前記ケース本体と連結されるとともに、前記携帯型通信装置を前記ケース本体にロックさせるロック部と、前記ケース本体と前記ロック部の相対動作に連動することによって前記携帯型通信装置が前記予備バッテリパックにロックされているか否かを検出する検出部と、を備え、前記携帯型通信装置は、前記第１のバッテリ部および前記第２のバッテリ部の何れか一つのバッテリ部を前記携帯型通信装置の負荷部に接続させるバッテリ切り換え回路と、前記バッテリ切り換え回路と電気的に接続されるとともに、前記予備バッテリパックの前記コネクタ部と電気的かつ機械的に接続可能な他のコネクタ部と、を備え、前記バッテリ切り換え回路は、前記第１のバッテリ部と電気的に接続されるとともに、前記負荷部に接続される第１のスイッチ素子と、前記第２のバッテリ部と電気的に接続されるとともに、前記負荷部に接続される第２のスイッチ素子と、前記第１のバッテリ部、前記第２のバッテリ部、前記検出部、前記第１のスイッチ素子、前記第２のスイッチ素子、及び前記携帯型通信装置の中央処理装置の各々に接続されるとともに、前記中央処理装置の制御信号に基づいて前記第１のバッテリ部および前記第２のバッテリ部の何れか一つのバッテリ部を前記負荷部に接続させるように切り換える切り換えスイッチと、を備え、前記中央処理装置は、前記携帯型通信装置と前記予備バッテリパックのコネクタ接続状態と、前記第１のバッテリ部および前記第２のバッテリ部の出力電圧と、前記検出部の検出状態と、を監視し、前記携帯型通信装置と前記予備バッテリパックがコネクタ接続され、前記第２のバッテリ部の出力電圧が所定電圧を超え、かつ、前記検出部にて前記携帯型通信装置が前記予備バッテリパックにロックされている状態を検出したときに、前記負荷部に接続させるバッテリ部を前記第１のバッテリ部から前記第２のバッテリ部に切り換えるように前記切り換えスイッチを制御し、前記負荷部に前記第２のバッテリ部が接続されているときであって、前記検出部にて前記携帯型通信装置が前記予備バッテリパックにロック解除されている状態を検出したときに、前記負荷部に接続させるバッテリ部を前記第２のバッテリ部から前記第１のバッテリ部に切り換えるように前記切り換えスイッチを制御することを特徴とする。
【０００８】
本発明の前記予備バッテリ付き携帯型通信装置において、前記中央処理装置は、前記携帯型通信装置と前記予備バッテリパックがコネクタ接続され、前記第２のバッテリ部の出力電圧が所定電圧を超え、かつ、前記検出部にて前記携帯型通信装置が前記予備バッテリパックにロックされていない状態を検出したときに、表示部にて前記携帯型通信装置が前記予備バッテリパックにロックされていない旨の画面を表示させることが好ましい。
【０００９】
本発明の前記予備バッテリ付き携帯型通信装置において、前記機構部は、回動機構を有し、前記検出部は、前記ケース本体と前記ロック部の回動動作に連動したＯＮ−ＯＦＦスイッチであることが好ましい。
【００１０】
本発明の前記予備バッテリ付き携帯型通信装置において、前記機構部は、少なくともスライド機構を有し、前記検出部は、前記ケース本体と前記ロック部の会合部であって前記機構部の近傍に配設されたメスコネクタ及びオスコネクタを有し、前記メスコネクタ及びオスコネクタは、ロック状態のときに機械的かつ電気的に接続されて導通し、ロック状態以外のときは離れて導通しないように構成されることが好ましい。
【発明の効果】
【００１４】
本発明（請求項１−４）によれば、携帯型通信装置から予備バッテリパックを取り外すために、ユーザが予備バッテリパックのロック部によるロックを解除したときに、ロック解除の検出を予備バッテリパックの検出部にて行い、即座に、用いる電源を本体側のバッテリ部に切り換えを行い、その後、ユーザが予備バッテリパックのコネクタ部から携帯型通信装置を取り外すときには、本体側のバッテリ部を使用しているため、使用中に予備バッテリパックが取り外された場合でも携帯型通信装置の電源がＯＦＦになるのを防止することができる。
【００１５】
本発明（請求項１−４）によれば、ロック部のロック解除を検出する機能を予備バッテリパック側に有しているので、携帯型通信装置内に電源ＯＦＦを防止する電気回路等を持つ必要がなく、装置の軽量小型化を図ることができる。
【発明を実施するための最良の形態】
【００１６】
（実施形態１）
本発明の実施形態１に係る携帯型通信装置および予備バッテリパックについて説明する。まず、実施形態１に係る携帯型通信装置および予備バッテリパックの内部構成について図面を用いて説明する。図１は、本発明の実施形態１に係る携帯型通信装置の内部構成を模式的に示したブロック図である。図２は、本発明の実施形態１に係る携帯型通信装置の電源部の内部構成を模式的に示したブロック図である。図３は、本発明の実施形態１に係る携帯型通信装置の電源部と予備バッテリパックを電気的に接続した状態の内部構成を模式的に示したブロック図である。
【００１７】
図１を参照すると、携帯型通信装置１は、例えば、携帯電話機であり、電源部１０と、負荷部２０と、を備える。
【００１８】
電源部１０は、負荷部２０に対する電源として機能し、負荷部２０に対して電力を供給する。電源部１０の詳細な構成については、後述する。
【００１９】
負荷部２０は、中央処理装置（ＣＰＵ）２１と、メモリ２２と、キー入力部２３と、無線信号処理部（ＲＦ）２４と、液晶表示装置（ＬＣＤ）２５と、音源２６と、カメラ２７と、を備える。
【００２０】
中央処理装置２１は、メモリ２２、キー入力部２３、無線信号処理部（ＲＦ）２４、液晶表示装置（ＬＣＤ）２５、音源２６、及びカメラ２７の動作を制御する。メモリ２２は、中央処理装置２１の制御プログラム及び各種データを記憶する。キー入力部２３は、中央処理装置２１に対してデータを入力するための複数のキーを備える。無線信号処理部（ＲＦ）２４は、無線信号の送受信及び復変調を行う。液晶表示装置（ＬＣＤ）２５は、キー入力部２３を介して入力されたデータ及び受信した無線信号の内容を表示する。音源２６は、無線信号受信時に着信音を発する。カメラ２７は、外部の被写体を撮像する。なお、中央処理装置２１と電源部１０との関係については、後述する。
【００２１】
図２、３を参照すると、電源部１０は、充電回路１１と、バッテリ切り換え回路１２と、バッテリ部１３と、コネクタ部１４と、を備える。
【００２２】
充電回路１１は、バッテリ部１３に対して充電を行う。
【００２３】
バッテリ切り換え回路１２は、バッテリ部１３、及び、コネクタ部１４を介して電気的に接続される予備バッテリパック３０のバッテリ部３２の何れか一つを選択し、選択したバッテリ部を負荷部２０に接続させるとともに、複数のバッテリ部の使用の順番及び複数のバッテリ部の充電の順番を制御する。バッテリ切り換え回路１２は、第１のスイッチ素子１２ａと、第２のスイッチ素子１２ｂと、切り換えスイッチ１２ｃと、インバータ１２ｄと、を有する。
【００２４】
第１のスイッチ素子１２ａは、例えば、ＰチャネルＭＯＳ型シリコン電界効果トランジスタ等を用いた素子である。第１のスイッチ素子１２ａのゲート端子は、インバータ１２ｄを介して切り換えスイッチ１２ｃのＳＷターミナルと電気的に接続されている。第１のスイッチ素子１２ａの第１端子は、バッテリ部１３の正極に電気的に接続されている。第１のスイッチ素子１２ａの第２端子は、負荷部２０に電気的に接続されている。
【００２５】
第２のスイッチ素子１２ｂは、例えば、ＰチャネルＭＯＳ型シリコン電界効果トランジスタ等を用いた素子である。第２のスイッチ素子１２ｂのゲート端子は、切り換えスイッチ１２ｃのＳＷターミナルと電気的に接続されている。第２のスイッチ素子１２ｂの第１端子は、コネクタ部３１及びコネクタ部１４を介してバッテリ部３２の正極に電気的に接続されている。第２のスイッチ素子１２ｂの第２端子は、負荷部２０に電気的に接続されている。
【００２６】
切り換えスイッチ１２ｃは、中央処理装置２１からの制御信号ＣＯＮＴに基づいて、バッテリ部１３及びバッテリ部３２の何れか一つを選択するように切り換えるスイッチである。切り換えスイッチ１２ｃは、Ｖ１ターミナルと、Ｖ２ターミナルと、ＤＥＴターミナルと、ＳＷターミナルと、ＣＯＮＴターミナルと、を有する。
【００２７】
Ｖ１ターミナルには、バッテリ部３２の出力電圧Ｖ１を示す信号がコネクタ部３１及びコネクタ部１４を介して入力される。Ｖ２ターミナルには、バッテリ部１３の出力電圧Ｖ２を示す信号が入力される。ＤＥＴターミナルには、検出部３４にて予備バッテリパック３０に携帯型通信装置１がロックされたことを示す検出信号ＤＥＴが第２抵抗Ｒ２、コネクタ部３１、コネクタ部１４を介して入力される。ＳＷターミナルは、第２のスイッチ素子１２ｂのゲート端子に対して、第２のスイッチ素子１２ｂおよび第１のスイッチ素子１２ａのスイッチ状態を切り換えるための切り換え信号ＳＷを出力するとともに、第１のスイッチ素子１２ａのゲート端子に対して、インバータ１２ｄを介して切り換え信号ＳＷを出力する。ＣＯＮＴターミナルは、中央処理装置２１に対して出力電圧Ｖ１及び出力電圧Ｖ２を出力するとともに、中央処理装置２１からの制御信号ＣＯＮＴが入力される。ここで、制御信号ＣＯＮＴは、中央処理装置２１に出力電圧Ｖ１及び出力電圧Ｖ２が入力されることで、中央処理装置２１にて所定の基準に基づいて出力電圧Ｖ１及び出力電圧Ｖ２の何れか一つを選択するように第１のスイッチ素子１２ａ及び第２のスイッチ素子１２ｂのスイッチ状態を制御する信号である。
【００２８】
インバータ１２ｄは、切り換えスイッチ１２ｃのＳＷターミナルから出力された切り換え信号ＳＷを逆変換して第１のスイッチ素子１２ａのゲート端子に向けて出力する。
【００２９】
バッテリ部１３は、携帯型通信装置１内に実装されたバッテリであり、主バッテリとして使用され、例えば、リチウムイオン電池を用いることができる。バッテリ部１３の正極は、充電回路１１及びバッテリ切り換え回路１２（第１のスイッチ素子１２ａの第１端子、切り換えスイッチ１２ｃのＶ２ターミナル）に接続され、負極は接地されている。
【００３０】
コネクタ部１４は、予備バッテリパック３０を電源部１０に電気的に接続させる部分である。コネクタ部１４は、予備バッテリパック３０のコネクタ部３１と電気的かつ機械的に接続可能である。コネクタ部１４の第１端子は、第２のスイッチ素子１２ｂの第１端子、及び、切り換えスイッチ１２ｃのＶ１ターミナルと電気的に接続されるとともに、予備バッテリパック３０のコネクタ部３１を介してバッテリ部３２の正極と電気的に接続される。コネクタ部１４の第２端子は、切り換えスイッチ１２ｃのＤＥＴターミナルと電気的に接続されるとともに、予備バッテリパック３０のコネクタ部３１及び第２抵抗Ｒ２を介して検出部３４と電気的に接続され、予備バッテリパック３０のコネクタ部３１を介して第１抵抗Ｒ１と電気的に接続される。
【００３１】
ここで、中央処理装置（ＣＰＵ）２１と電源部１０の関係について説明する。中央処理装置２１は、切り換えスイッチ１２ｃのＣＯＮＴターミナルから予備側のバッテリ部３２の出力電圧Ｖ１および装置側のバッテリ部１３の出力電圧Ｖ２を得ることが可能である。中央処理装置２１は、所定の基準に基づいて、出力電圧Ｖ１及び出力電圧Ｖ２の何れか一つを選択するように第１のスイッチ素子１２ａ及び第２のスイッチ素子１２ｂのスイッチ状態を制御する制御信号ＣＯＮＴを切り換えスイッチ１２ｃのＣＯＮＴターミナルに向けて出力する。切り換えスイッチ１２ｃは、入力された制御信号ＣＯＮＴに基づいて、第１のスイッチ素子１２ａ及び第２のスイッチ素子１２ｂのスイッチ状態を切り換えるための切り換え信号ＳＷを出力する。第１のスイッチ素子１２ａ及び第２のスイッチ素子１２ｂは、入力された切り換え信号ＳＷに基づいて、スイッチ状態が切り換わる。これより、中央処理装置２１は、予備側のバッテリ部３２と装置側のバッテリ部１３のどちらか一方を選択して、負荷部２０に対して電源供給することになる。
【００３２】
図３を参照すると、予備バッテリパック３０は、内部構成として、コネクタ部３１と、バッテリ部３２と、充電回路３３と、検出部３４と、第１抵抗Ｒ１と、第２抵抗Ｒ２と、を有する。
【００３３】
コネクタ部３１は、予備バッテリパック３０を電源部１０に電気的に接続させる部分である。コネクタ部３１は、電源部１０のコネクタ部１４と電気的かつ機械的に接続可能である。コネクタ部３１の第１端子は、バッテリ部３２の正極と電気的に接続されるとともに、電源部１０のコネクタ部１４を介して第２のスイッチ素子１２ｂの第１端子、及び、切り換えスイッチ１２ｃのＶ１ターミナルと電気的に接続される。コネクタ部３１の第２端子は、第１抵抗Ｒ１と電気的に接続されるとともに、第２抵抗Ｒ２を介して検出部３４と電気的に接続され、電源部１０のコネクタ部１４を介して切り換えスイッチ１２ｃのＤＥＴターミナルと電気的に接続される。
【００３４】
バッテリ部３２は、予備バッテリパック３０内に実装されたバッテリであり、予備バッテリとして使用され、例えば、リチウムイオン電池を用いることができる。バッテリ部３２の正極は、充電回路３３及びコネクタ部３１に接続され、負極は接地されている。
【００３５】
充電回路３３は、バッテリ部３２に対して充電を行う。
【００３６】
検出部３４は、携帯型通信装置１が予備バッテリパック３０にロックされたか否かを検出する。検出部３４の第１端子は、第２抵抗Ｒ２、コネクタ部３１、及びコネクタ部１４を介して切り換えスイッチ１２ｃのＤＥＴターミナルと電気的に接続されている。検出部３４の第２端子は、グランドに接続されている。検出部３４は、携帯型通信装置１が予備バッテリパック３０にロックされているときに第２抵抗Ｒ２とグランドを導通させ、ロックされていないときに第２抵抗Ｒ２をオープン状態にする。検出部３４には、例えば、予備バッテリパック３０のケース本体（図４の３５）とロック部（図４の３６）の回動動作に連動したＯＮ−ＯＦＦスイッチを用いることができる。
【００３７】
第１抵抗Ｒ１と第２抵抗Ｒ２は、コネクタ部３１とグランドの間で並列に配されている。第１抵抗Ｒ１の一端は、グランドに直接接続される。第２抵抗Ｒ２の一端は、検出部３４を介してグランドに接続される。
【００３８】
ここで、中央処理装置２１は、携帯型通信装置１が予備バッテリパック３０にコネクト接続されているがロックされていない状態では、検出部３４の非検出により第２抵抗Ｒ２がオープン状態となるので、第１抵抗Ｒ１のみが接続された状態の電圧を、コネクタ部３１、コネクタ部１４、切り換えスイッチ１２ｃを介して認識することができる。一方、中央処理装置２１は、携帯型通信装置１が予備バッテリパック３０にコネクト接続されロックされている状態では、検出部３４の検出により第２抵抗Ｒ２とグランドが接続状態となるので、第１抵抗Ｒ１および第２抵抗Ｒ２が並列に接続された状態の電圧を、コネクタ部３１、コネクタ部１４、切り換えスイッチ１２ｃを介して認識することができる。つまり、中央処理装置２１は、第１抵抗Ｒ１のみが接続された状態では携帯型通信装置１が予備バッテリパック３０にコネクト接続されているがロックされていない状態を認識し、第１抵抗Ｒ１および第２抵抗Ｒ２が接続された状態では携帯型通信装置１が予備バッテリパック３０にコネクト接続されロックされている状態を認識することができる。なお、中央処理装置２１は、携帯型通信装置１が予備バッテリパック３０にコネクト接続されていない状態では切り換えスイッチ１２ｃのＤＥＴターミナルがオープンとなるので、コネクト接続されていない状態も認識することができる。
【００３９】
次に、実施形態１に係る携帯型通信装置および予備バッテリパックの外観構成について図面を用いて説明する。図４は、本発明の実施形態１に係る予備バッテリパックのロック解除時の外観構成を模式的に示した斜視図である。図５は、本発明の実施形態１に係る予備バッテリパックのロック時の外観構成を模式的に示した斜視図である。図６は、本発明の実施形態１に係る携帯型通信装置の外観構成を模式的に示した斜視図である。図７は、本発明の実施形態１に係る携帯型通信装置と予備バッテリパックが組み合わさった状態の外観構成を模式的に示した斜視図である。
【００４０】
図４を参照すると、予備バッテリパック３０は、外観構成として、コネクタ部３１、ケース本体３５、ロック部３６、機構部３７を有する。コネクタ部３１は、携帯型通信装置（図６の１）を収容するスペースの端部に配設されている。ケース本体３５は、図３のバッテリ部３２、充電回路３３等を実装する。ロック部３６は、機構部３７を介して回動可能にケース本体３５と接続されており（図５参照）、携帯型通信装置（図６の１）がコネクタ部３１と接続しているときにロックをはずさない限り、携帯型通信装置（図６の１）を取り出せない構造になっている（図７参照）。
【００４１】
図６を参照すると、携帯型通信装置１は、予備バッテリパック（図５の３０）の収容スペースに収容可能な外観構成となっており、コネクタ部（図５の３１）と対応する位置にコネクタ部（図３の１４）が配設されている。携帯型通信装置１は、ロック部３６のロックを解除した状態（図４のような状態）のときに長手方向にスライドさせてコネクト接続され、コネクト接続した状態でロック部（図４の３６）を回動させることでロック状態（図７のような状態）となる。携帯型通信装置１は、コネクト接続し、かつ、ロック状態（図７のような状態）のときにロック部（図７の３６）を回動させることでロックが解除され、ロックを解除した状態（図４のような状態）のときに長手方向にスライドさせてコネクト接続が解除される。
【００４２】
次に、本発明の実施形態１に係る携帯型通信装置の動作について図面を用いて説明する。図８は、本発明の実施形態１に係る携帯型通信装置の中央処理装置の動作を模式的に示したフローチャート図である。図９は、本発明の実施形態１に係る携帯型通信装置が予備バッテリパックにコネクタ接続されているがロックされていない状態のときの表示を模式的に示した警告画面である。
【００４３】
まず、ユーザよって携帯型通信装置（図６の１）の電源がオンになると、中央処理装置（図３の２１）は、予備バッテリパック（図３の３０）のコネクタ部（図３の３１）に携帯型通信装置のコネクタ部（図３の１４）が接続されているか否かを確認する（ステップＡ１）。この確認では、例えば、図３のように接続された第１抵抗Ｒ１をもとに分圧された電圧が切り換えスイッチ１２ｃを介して中央処理装置２１に入力されてコネクタ接続されているか否かが確認される。接続されている場合（ステップＡ１のＹＥＳ）、ステップＡ２に進む。接続されていない場合（ステップＡ１のＮＯ）、ステップＡ１に戻り、接続されるまでステップＡ１に留まる。
【００４４】
接続されている場合（ステップＡ１のＹＥＳ）、中央処理装置（図３の２１）は、本体側のバッテリ部（図３の１３）から予備側のバッテリ部（図３の３２）に切り換え可能か否かを確認する（ステップＡ２）。ここで、切り換え可能か否かの確認は、予備側のバッテリ部（図３の３２）の出力電圧Ｖ１が、携帯型通信装置（図６の１）が動作する最低電圧Ｖ０よりも高いか否かを判定することにより行う。切り換え可能な場合（ステップＡ２のＹＥＳ）、ステップＡ３に進む。切り換え可能でない場合（ステップＡ２のＮＯ）、ステップＡ２に戻り、予備バッテリパック（図３の３０）が充電され、切り換えが行える状態になるまで、ステップＡ２に留まる。
【００４５】
切り換え可能な場合（ステップＡ２のＹＥＳ）、中央処理装置（図３の２１）は、携帯型通信装置（図７の１）が予備バッテリパック（図７の３０）のロック部（図７の３６）にてロックされているか否かを確認する（ステップＡ３）。この確認は、予備バッテリパック（図７の３０）に携帯型通信装置（図７の１）がロックされない限り、切り換え動作をさせないようにするためのものであり、図３のように並列に接続された第１抵抗Ｒ１および第２抵抗Ｒ２をもとに分圧された電圧が切り換えスイッチ１２ｃを介して中央処理装置２１に入力されてロックされているか否かが確認される。ロックされている場合（ステップＡ３のＹＥＳ）、ステップＡ６に進む。ロックされていない場合（ステップＡ３のＮＯ）、ステップＡ４に進む。
【００４６】
ロックされていない場合（ステップＡ３のＮＯ）、又は、ロックされていない場合（ステップＡ５のＮＯ）、中央処理装置（図３の２１）は、所定時間、警告画面（図９参照）を表示させ、警告音も発生させる（ステップＡ４）。
【００４７】
ステップＡ４の後、中央処理装置（図３の２１）は、携帯型通信装置（図７の１）が予備バッテリパック（図７の３０）のロック部（図７の３６）にてロックされているか否かを確認する（ステップＡ５）。ロックされている場合（ステップＡ５のＹＥＳ）、ステップＡ６に進む。ロックされていない場合（ステップＡ５のＮＯ）、ステップＡ４に戻り、定期的に警告を行いユーザにロックを促すことになる。
【００４８】
ロックされている場合（ステップＡ３のＹＥＳ、ステップＡ５のＹＥＳ、ステップＡ９のＹＥＳ、ステップＡ１５のＹＥＳ）、中央処理装置（図３の２１）は、本体側のバッテリ部（図３の１３）から予備側のバッテリ部（図３の３２）の出力電圧を負荷部（図３の２０）に供給するように切り換える（ステップＡ６）。つまり、携帯型通信装置（図７の１）が予備バッテリパック（図７の３０）にコネクタ接続され、ロックされ、予備バッテリパック（図７の３０）に残容量がある状態であるので、切り換えが行われる。この切り換えでは、中央処理装置（図３の２１）から切り換えスイッチ（図３の１２ｃ）のＣＯＮＴターミナルに向けて第２のスイッチ素子（図３の１２ｂ）をＯＮにし第１のスイッチ素子（図３の１２ａ）をＯＦＦに制御する制御信号ＣＯＮＴを出力し、当該制御信号ＣＯＮＴに基づいて、切り換えスイッチ（図３の１２ｃ）から第１のスイッチ素子（図３の１２ａ）及び第２のスイッチ素子（図３の１２ｂ）に向けて第２のスイッチ素子（図３の１２ｂ）をＯＮにし第１のスイッチ素子（図３の１２ａ）をＯＦＦに切り換える切り換え信号ＳＷを出力し、切り換え信号ＳＷに基づいて、第２のスイッチ素子（図３の１２ｂ）がＯＦＦからＯＮに切り換わり、第１のスイッチ素子（図３の１２ａ）がＯＮからＯＦＦに切り換わる。なお、この切り換えでは、下位側の切換機能アルゴリズムが実行される。
【００４９】
ステップＡ６の切り換えの後、又は、ロックが解除されていない場合（ステップＡ１０のＮＯ）、予備側のバッテリ部（図３の３２）の使用時に、ユーザが予備バッテリパックを取りはずす場合は、即座に本体側のバッテリ部（図３の１３）に切り戻す必要がある。そのため、ステップＡ６の後、中央処理装置（図３の２１）は、下位側アルゴリズムで予備側のバッテリ部（図３の３２）から本体側のバッテリ部（図３の１３）に切り戻されたか否かを確認する（ステップＡ７）。切り戻された場合（ステップＡ７のＹＥＳ）、ステップＡ８に進む。切り戻されていない場合（ステップＡ７のＮＯ）、ステップＡ１０に進む。
【００５０】
切り戻された場合（ステップＡ７のＹＥＳ）、又は、切り換え可能でない場合（ステップＡ９のＮＯ）、中央処理装置（図３の２１）は、予備側のバッテリ部（図３の３２）の充電を開始させる（ステップＡ８）。
【００５１】
ステップＡ８の後、中央処理装置（図３の２１）は、本体側のバッテリ部（図３の１３）から予備側のバッテリ部（図３の３２）に切り換え可能か否かを確認する（ステップＡ９）。切り換え可能な場合（ステップＡ９のＹＥＳ）、ステップＡ６に進む。切り換え可能でない場合（ステップＡ９のＮＯ）、ステップＡ８に戻り、予備バッテリパック（図３の３０）が充電され、切り換えが行える状態になるまで、ステップＡ８、Ａ９を繰り返す。
【００５２】
切り戻されていない場合（ステップＡ７のＮＯ）、中央処理装置（図３の２１）は、携帯型通信装置（図７の１）が予備バッテリパック（図７の３０）のロック部（図７の３６）によるロックが解除されているか否かを確認する（ステップＡ１０）。ロックが解除されている場合（ステップＡ１０のＹＥＳ）、ステップＡ１１に進む。ロックが解除されていない場合（ステップＡ１０のＮＯ）、ステップＡ７に進む。
【００５３】
ロックが解除されている場合（ステップＡ１０のＹＥＳ）、中央処理装置（図３の２１）は、予備側のバッテリ部（図３の３２）から本体側のバッテリ部（図３の１３）の出力電圧を負荷部（図３の２０）に供給するように切り戻す（ステップＡ１１）。これにより、ユーザが次に予備バッテリパック（図４の３０）のコネクタ部（図４の３１）から携帯型通信装置（図６の１）を取り外すときには、本体側のバッテリ部（図３の１３）を使用しているので、電源オフが発生することがない。
【００５４】
ステップＡ１１の後、又は、所定時間経過していない場合（ステップＡ１３のＮＯ）、中央処理装置（図３の２１）は、予備バッテリパック（図３の３０）のコネクタ部（図３の３１）から携帯型通信装置のコネクタ部（図３の１４）が抜き去られているか否かを確認する（ステップＡ１２）。抜き去られている場合（ステップＡ１２のＹＥＳ）、ステップＡ１に戻り、再び予備バッテリが接続されるまで検出監視を行う。抜き去られていない場合（ステップＡ１２のＮＯ）、ステップＡ１３に進む。
【００５５】
抜き去られていない場合（ステップＡ１２のＮＯ）、中央処理装置（図３の２１）は、予備側のバッテリ部（図３の３２）から本体側のバッテリ部（図３の１３）の出力電圧を負荷部（図３の２０）に供給するように切り戻してから所定時間経過しているか否かを確認する（ステップＡ１３）。所定時間経過している場合（ステップＡ１３のＹＥＳ）、ステップＡ１４に進む。所定時間経過していない場合（ステップＡ１３のＮＯ）、ステップＡ１２に戻る。
【００５６】
所定時間経過している場合（ステップＡ１３のＹＥＳ）、又は、抜き去られていない場合（ステップＡ１６のＮＯ）、中央処理装置（図３の２１）は、所定時間、警告画面（図９参照）を表示させ、警告音も発生させる（ステップＡ１４）。これは、ユーザが予備バッテリパック（図４の３０）を切り離すつもりはないがロックをはずした場合、あるいは何かの原因でロックが意図せず外れてしまった場合、再びロックをすることで、予備バッテリが使用可能となるため、ユーザにロックが外れていることを通知するものである。
【００５７】
ステップＡ１４の後、中央処理装置（図３の２１）は、携帯型通信装置（図７の１）が予備バッテリパック（図７の３０）のロック部（図７の３６）にてロックされているか否かを確認する（ステップＡ１５）。ロックされている場合（ステップＡ１５のＹＥＳ）、ステップＡ６に戻る。ロックされていない場合（ステップＡ１５のＮＯ）、ステップＡ１６に進む。
【００５８】
ロックされていない場合（ステップＡ１５のＮＯ）、中央処理装置（図３の２１）は、予備バッテリパック（図３の３０）のコネクタ部（図３の３１）から携帯型通信装置のコネクタ部（図３の１４）が抜き去られているか否かを確認する（ステップＡ１６）。抜き去られている場合（ステップＡ１６のＹＥＳ）、ステップＡ１に戻り、再び予備バッテリが接続されるまで検出監視を行う。抜き去られていない場合（ステップＡ１６のＮＯ）、ステップＡ１４に戻る。
【００５９】
実施形態１によれば、携帯型通信装置１から予備バッテリパック３０を取り外すために、ユーザが予備バッテリパック３０のロック部３６によるロックを解除したときに、ロック解除の検出を予備バッテリパック３０の検出部３４にて行い、即座に、用いる電源を本体側のバッテリ部１３に切り換えを行い、その後、ユーザが予備バッテリパック３０のコネクタ部３１から携帯型通信装置１を取り外すときには、本体側のバッテリ部１３を使用しているため、使用中に予備バッテリパックが取り外された場合でも携帯型通信装置１の電源がＯＦＦにならない。また、ロック部３６のロック解除を検出する機能を予備バッテリパック３０側に有しているので、携帯型通信装置１内に電源オフを防止する電気回路等を持つ必要がなく、装置の軽量小型化を図ることができる。
【００６０】
（実施形態２）
本発明の実施形態２に係る携帯型通信装置および予備バッテリパックについて図面を用いて説明する。図１０は、本発明の実施形態２に係る予備バッテリパックの外観構成および動作を模式的に示した側面図である。
【００６１】
実施形態２に係る予備バッテリパック３０は、機構部３７にてスライド機能および回動機能を有し、検出部としてメスコネクタ３４ａ及びオスコネクタ３４ｂを用いた点が実施形態１と異なる。その他の構成および動作については、実施形態１と同様である。
【００６２】
図１０を参照すると、上段はロック状態を示しており、中段はロック状態からロック解除状態に至る中間状態を示しており、下段はロック解除状態を示している。機構部３７は、ケース本体３５とロック部３６とを機械的に連結し、ケース本体３５に対してロック部３６を図１０の右側にスライド可能にし、かつ、ロック部３６が図１０の右側にスライドしきったところでロック部３６を回動可能にする。メスコネクタ３４ａは、ケース本体３５の端部に配設されている。オスコネクタ３４ｂは、ロック部３６の端部に配設されている。メスコネクタ３４ａ及びオスコネクタ３４ｂは、検出部（図３の３４）として機能し、ケース本体３５とロック部３６の会合部であって機構部３７の近傍に配設されており、ロック状態のときに機械的かつ電気的に接続されて導通し、ロック状態以外のときは離れて導通しない。メスコネクタ３４ａ及びオスコネクタ３４ｂは、携帯型通信装置（図７の１）が予備バッテリパック３０にロックされているときに第２抵抗（図３のＲ２）とグランドを導通させ、ロックされていないときに第２抵抗（図３のＲ２）をオープン状態にする。
【００６３】
実施形態２によれば、実施形態１と同様な効果を奏する。
【図面の簡単な説明】
【００６４】
【図１】本発明の実施形態１に係る携帯型通信装置の内部構成を模式的に示したブロック図である。
【図２】本発明の実施形態１に係る携帯型通信装置の電源部の内部構成を模式的に示したブロック図である。
【図３】本発明の実施形態１に係る携帯型通信装置の電源部と予備バッテリパックを電気的に接続した状態の内部構成を模式的に示したブロック図である。
【図４】本発明の実施形態１に係る予備バッテリパックのロック解除時の外観構成を模式的に示した斜視図である。
【図５】本発明の実施形態１に係る予備バッテリパックのロック時の外観構成を模式的に示した斜視図である。
【図６】本発明の実施形態１に係る携帯型通信装置の外観構成を模式的に示した斜視図である。
【図７】本発明の実施形態１に係る携帯型通信装置と予備バッテリパックが組み合わさった状態の外観構成を模式的に示した斜視図である。
【図８】本発明の実施形態１に係る携帯型通信装置の中央処理装置の動作を模式的に示したフローチャート図である。
【図９】本発明の実施形態１に係る携帯型通信装置が予備バッテリパックにコネクタ接続されているがロックされていない状態のときの表示を模式的に示した警告画面である。
【図１０】本発明の実施形態２に係る予備バッテリパックの外観構成および動作を模式的に示した側面図である。
【符号の説明】
【００６５】
１  携帯型通信装置
１０  電源部
１１  充電回路
１２  バッテリ切り換え回路
１２ａ  第１のスイッチ素子
１２ｂ  第２のスイッチ素子
１２ｃ  切り換えスイッチ
１２ｄ  インバータ
１３  バッテリ部（第１のバッテリ部）
１４  コネクタ部
２０  負荷部
２１  中央処理装置（ＣＰＵ）
２２  メモリ
２３  キー入力部
２４  ＲＦ
２５  ＬＣＤ
２６  音源
２７  カメラ
３０  予備バッテリパック
３１  コネクタ部
３２  バッテリ部（第２のバッテリ部）
３３  充電回路
３４  検出部
３４ａ  メスコネクタ
３４ｂ  オスコネクタ
３５  ケース本体
３６  ロック部
３７  機構部
Ｒ１  第１抵抗
Ｒ２  第２抵抗
【図１】
0004577175.tif 000002
【図２】
0004577175.tif 000003
【図３】
0004577175.tif 000004
【図４】
0004577175.tif 000005
【図５】
0004577175.tif 000006
【図６】
0004577175.tif 000007
【図７】
0004577175.tif 000008
【図８】
0004577175.tif 000009
【図９】
0004577175.tif 000010
【図１０】
0004577175.tif 000011